(57)【要約】【課題】作業性及び餌の固着性を飛躍的に高めて稚ナマコ等の付着生物の育成促進を可能とする。【解決手段】水産養殖において付着生物の育成をおこなう育成水槽１０であって、投餌した人工飼料Ｂが溜まりやすい飼料留置部１５ｍと、稚生物が好む壁部１５ｎと、が隣接して配置されるとともに、これら飼料留置部と壁部とが連続的に多数組設けられた構造を有してなる。【選択図】図２
2018000150.tif 000002
【特許請求の範囲】
【請求項１】
水産養殖において付着生物の育成をおこなう育成水槽であって、
投餌した人工飼料が溜まりやすい飼料留置部（底部頂部段部）と、稚生物が好む壁部と、が隣接して配置されるとともに、これら飼料留置部と壁部とが連続的に多数組設けられた構造を有してなることを特徴とする育成水槽。
【請求項２】
前記飼料留置部と前記壁部とが交互に隣接して配置されることを特徴とする請求項１記載の育成水槽。
【請求項３】
前記飼料留置部と前記壁部とが略直線状に配置されることを特徴とする請求項１または２記載の育成水槽。
【請求項４】
略直線状の前記飼料留置部と前記壁部とが、平面視して矩形とされる水槽の長辺と平行に配置されることを特徴とする請求項１から３のいずれか記載の育成水槽。
【請求項５】
前記飼料留置部と前記壁部との境界が滑らかな湾曲部として形成されていることを特徴とする請求項１から４のいずれか記載の育成水槽。
【請求項６】
略直線状の前記飼料留置部と前記壁部とが、平面視して矩形とされる水槽内部に、尾根線と谷線とが前記水槽の長辺と平行となるようにして前記長辺となる内壁面から底面に沿って湾曲した波板を配置して形成されたことを特徴とする請求項１から５のいずれか記載の育成水槽。
【請求項７】
前記飼料留置部と前記壁部とが同心状に配置された略円環状に形成されることを特徴とする請求項１または２記載の育成水槽。
【請求項８】
前記飼料留置部の周囲を囲むように前記壁部が配置されることを特徴とする請求項１または２記載の育成水槽。
【請求項９】
前記飼料留置部の周囲を囲むように前記壁部が配置され、これらの前記飼料留置部と前記壁部とが、所定距離離間して多数設けられることを特徴とする請求項８記載の育成水槽。
【請求項１０】
前記飼料留置部には、排水穴が設けられることを特徴とする請求項１から９のいずれか記載の育成水槽。
【請求項１１】
請求項１から１０のいずれか記載の育成水槽と、該水槽に給水する給水手段と、前記水槽から排水する排水手段と、を有することを特徴とする育成装置。
【発明の詳細な説明】
【技術分野】
【０００１】
本発明は育成水槽、育成装置に関し、特に、ナマコ等の付着生物の養殖において、着底後に人工飼料だけを飼料として効果的な育成を可能にするとともに水産養殖業で重要な付着生物の育成に効果を有する水槽システムに用いて好適な技術に関する。
【背景技術】
【０００２】
種苗生産は、水産業において目的とする生物の生活史の中で、最も減耗の激しい期間に人工育成することによって、天然ではなしえない高い生残と生育とを達成するためにおこなわれる。生産された魚介類の種苗は、自然環境への放流や自然環境下での養殖に用いられる。
【０００３】
２０００年代から、中国での需要の増加や単価の上昇を受け、全国的にナマコの漁獲量が上昇する影響を受け、ナマコの種苗放流に対するニーズは高まっている。ナマコ類で水産業上、最も重要で種苗生産の対象となる種は、マナマコ（Apostichopus japonicus）である。
【０００４】
従来、マナマコの種苗生産は、１９４９年に今井らが無色鞭毛虫を餌として稚ナマコまでの人工飼育に成功したことを始まりとして、様々な方法によるマナマコの種苗生産がおこなわれてきた。１９９０年代には、付着珪藻を餌として用いて、稚ナマコに変態させ、その後、付着珪藻板上で飼育するという方式を確立し、採卵後４〜５ヶ月で体長１０ｍｍ以上の稚ナマコを１０万個単位で生産することが可能になった（非特許文献１）。現在では、採卵後３〜５ヶ月で、体長２０ｍｍ程度の稚ナマコを１００万個以上の生産が可能となっている（非特許文献２）。
【０００５】
付着珪藻は、人工飼料に比べて、付着基質を兼ねるため常に摂餌可能な飼料であること、水質を悪化させないこと、給餌作業が必要ないこと等の利点があるが、水温、水質、日照量等も外部要因による影響を受け、量や構成種が生産毎に異なる。そのため、付着珪藻の量や質によって。稚ナマコの成長や生残が左右され、稚ナマコ種苗生産が不安定となる場合がある。そこで、付着珪藻のみを飼料とする飼育方法から。海藻粉末や配合飼料等の人工飼料を主体的あるいは補助的に使用する飼育方法が検討されてきた。
【０００６】
海藻粉末や配合飼料は、稚ナマコ飼料として適正な蛋白質含量（５〜１０％）、必要なアミノ酸の含量、繊維質含量（〜８％）が検討され、栄養的には十分であるが、付着基質を持たないため、給餌方法に課題があることが明らかになっている（非特許文献３）。非特許文献３においては、飼育用水槽内での稚ナマコの生態を観察した結果として、水槽内において、稚ナマコは、ほとんどの時間帯において、水槽の壁に付着していることが明らかにされている。ここで、水槽に投餌した付着基質を持たない海藻粉末や配合飼料のほとんどすべては水槽の底部にたまることになる。ところが、稚ナマコは壁に付着することを好むため、摂餌機会が極めて限定されることになる。非特許文献３では、飼料を水でこねてゲル状にし、水槽の壁の部分に張った、網目状の布の網目部分に、餌が溜まる様に筆で投餌することによって、成長が改善することが報告されている。
【先行技術文献】
【特許文献】
【０００７】
【特許文献１】特開平１０−２７６６０７号公報
【特許文献２】特許第５７０５８５１号公報
【非特許文献】
【０００８】
【非特許文献１】伊藤史郎；マナマコの人工大量生産技術の開発に関する研究、佐賀県栽培漁業センター研究報告、1994; 4: 1-87.
【非特許文献２】江口勝久；種苗生産技術の現状と課題、72-113ページ、「ナマコ漁業とその管理-資源・生産・市場」 廣田将仁、町口裕二編、水産総合研究センター叢書、恒星社厚生閣  2014.
【非特許文献３】Yamana Y, Hamano T, Niiyama H, Goshima S.; Feeding characteristics of juvenile Japanese sea cucumber Apostichopus japonicas (Stichopodudae) in a nursery culture tank. J. National Fish. Univ. 2008; 57: 9-20.
【発明の概要】
【発明が解決しようとする課題】
【０００９】
非特許文献３に記載の投餌方法は、小規模の試験で用いる場合には、有効な手段であるといえるが、種苗生産現場で大規模に展開するには作業性が悪く実用的でない。また、網目状の布の溝に溜まる餌の量では不十分なためか、彼らの投餌方法では減耗率が高い。
【００１０】
特許文献１では、こうした課題に対して、付着生物が摂餌できる場を増やし、残餌物を少なくして付着生物の生存率を低下させない養殖用人工餌料の給餌方法を提供する技術として、板状基板に養殖用固形状人工餌料を装填固定化してなる給餌板を、イケス内に設けられた仕切り板に取り付けることによって給餌する養殖用人工餌料の給餌方法と給餌板が開発されたが、当該技術はウニを対象とするものであり、ウニの摂餌が、ウニが静止できる位置に餌料があれば、その位置がイケスの底面でも垂直面でも関係ないことに基づく技術であり、ウニの摂餌行動はナマコのイケス内での摂餌行動とは大きく異なることから、稚ナマコの育成用には利用できない。
【００１１】
また、特許文献２では、天然ナマコを養殖するための飼育バスケットを多数層に密集させることによって大量生産が可能であるとともに、酸素供給と餌供給などの生育環境を最適化することによって養殖効率を極大化できるナマコ養殖飼育機について開示されているが、飼育機の製作などに手間がかかる上に運転においても酸素の供給などを調節する必要があり、設置のための初期投資額の大きさや運転の複雑さの課題が残っている。また、この装置を実際に長期間運転した場合のナマコの成長や生残率の情報が開示されていない。
【００１２】
これら装置や投餌方法では、上述した問題に加えて、設置のための初期投資額の大きさや運転の複雑さの課題が残っている。また、これらの装置を実際に長期間運転した場合のナマコの成長や生残率の情報が開示されていない。そこで、本発明の目的は、これらの問題及び他の問題点に対処することにある。
【００１３】
そこで、本発明は、従来、着底後のナマコ種苗の育成に必須とされてきた付着珪藻を用いることなしに配合飼料だけでの飼育を可能とするとともに、人工飼料の摂餌機会が向上するような構造を育成水槽に敷設することによって、作業性及び餌の固着性を飛躍的に高めることを目的とする。
【課題を解決するための手段】
【００１４】
本発明の育成水槽は、水産養殖において付着生物の育成をおこなう育成水槽であって、
投餌した人工飼料が溜まりやすい飼料留置部と、稚生物が好む壁部と、が隣接して配置されるとともに、これら飼料留置部と壁部とが連続的に多数組設けられた構造を有してなることにより上記課題を解決した。
本発明の育成水槽は、前記飼料留置部と前記壁部とが交互に隣接して配置されることができる。
本発明の育成水槽は、前記飼料留置部と前記壁部とが略直線状に配置されることができる。
本発明の育成水槽は、略直線状の前記飼料留置部と前記壁部とが、平面視して矩形とされる水槽の長辺と平行に配置されることができる。
本発明の育成水槽は、前記飼料留置部と前記壁部との境界が滑らかな湾曲部として形成されていることができる。
本発明の育成水槽は、略直線状の前記飼料留置部と前記壁部とが、平面視して矩形とされる水槽内部に、尾根線と谷線とが前記水槽の長辺と平行となるようにして前記長辺となる内壁面から底面に沿って湾曲した波板を配置して形成されたことができる。
本発明の育成水槽は、前記飼料留置部と前記壁部とが同心状に配置された略円環状に形成されることができる。
本発明の育成水槽は、前記飼料留置部の周囲を囲むように前記壁部が配置されることができる。
本発明の育成水槽は、前記飼料留置部の周囲を囲むように前記壁部が配置され、これらの前記飼料留置部と前記壁部とが、所定距離離間して多数設けられることができる。
本発明の育成水槽は、前記飼料留置部には、排水穴が設けられることができる。
本発明の育成装置は、上記のいずれか記載の育成水槽と、該水槽に給水する給水手段と、前記水槽から排水する排水手段と、を有することができる。
【００１５】
本発明の育成水槽は、水産養殖において付着生物の育成をおこなう育成水槽であって、
投餌した人工飼料が溜まりやすい飼料留置部（底部頂部段部）と、稚生物が好む壁部と、が隣接して配置されるとともに、これら飼料留置部と壁部とが連続的に多数組設けられた構造を有してなることにより、水平に近い面を有する飼料留置部付近において餌の固着度合いを向上するとともに、この人工飼料の載置された飼料留置部と付着生物の好む壁部との距離を短縮して摂餌機会を増大させ、付着生物の成長を促進するとともに、飼料留置部に対する飼料の供給を簡便におこなうことができるため、付着生物の育成における作業性及び餌の固着性を向上することが可能となる。
【００１６】
本発明の育成水槽は、前記飼料留置部と前記壁部とが交互に隣接して配置されることにより、付着生物の好む壁部と人工飼料の載置された飼料留置部との距離を短縮して摂餌機会を増大させて付着生物の成長を促進するとともに、同一体積の水槽における摂餌機会の増大される付着生物数を増やして、成長促進される付着生物数を増加することが可能となる。
【００１７】
本発明の育成水槽は、前記飼料留置部と前記壁部とが略直線状に配置されることにより、矩形の水槽に対して効率的に前記飼料留置部と前記壁部との密度を増加させて、同一体積の水槽における摂餌機会の増大される付着生物数を増やして、成長促進される付着生物数を増加することができる。
【００１８】
本発明の育成水槽は、略直線状の前記飼料留置部と前記壁部とが、平面視して矩形とされる水槽の長辺と平行に配置されることにより、単純な構造で矩形の水槽に対して効率的に前記飼料留置部と前記壁部との密度を増加させて、同一体積の水槽における摂餌機会の増大される付着生物数を増やして、成長促進される付着生物数を増加することができるとともに、水槽の清掃等の作業効率を向上することが可能となる。
【００１９】
本発明の育成水槽は、前記飼料留置部と前記壁部との境界が滑らかな湾曲部として形成されていることにより、付着生物の好む壁部と人工飼料の載置された飼料留置部との間で付着生物の行き来を容易にして摂餌機会を増大させることができ、付着生物の成長を促進することができる。
【００２０】
本発明の育成水槽は、略直線状の前記飼料留置部と前記壁部とが、平面視して矩形とされる水槽内部に、尾根線と谷線とが前記水槽の長辺と平行となるようにして前記長辺となる内壁面から底面に沿って湾曲した波板を配置して形成されたことにより、波板を既存の水槽にＵ字状に湾曲して配置するだけで、波板の凹部と凸部とを前記飼料留置部と前記壁部として、これら前記飼料留置部と前記壁部とが交互に隣接して多数配置される構造を簡単に実現し、容易に付着生物の成長や生残率を控除することができる。
【００２１】
本発明の育成水槽は、前記飼料留置部と前記壁部とが同心状に配置された略円環状に形成されることにより、平面視して円形の水槽において、略円環状の前記飼料留置部と前記壁部とが交互に隣接して配置されることにより、付着生物の好む壁部と人工飼料の載置された飼料留置部との距離を短縮して摂餌機会を増大させて付着生物の成長を促進することができる。
【００２２】
本発明の育成水槽は、前記飼料留置部の周囲を囲むように前記壁部が配置されることにより、単位面積当たりにおける前記飼料留置部と前記壁部との境界の長さを増大して、付着生物の好む壁部と人工飼料の載置された飼料留置部との間で付着生物の行き来を容易にして摂餌機会を増大させるとともに、前記飼料留置部への供給飼料に対する前記壁部での付着生物数を増大させることができ、付着生物の成長を促進することができる。
【００２３】
本発明の育成水槽は、前記飼料留置部の周囲を囲むように前記壁部が配置され、これらの前記飼料留置部と前記壁部とが、所定距離離間して多数設けられることにより、単位面積当たりにおける前記飼料留置部と前記壁部との境界線配置を増大して、付着生物の好む壁部と人工飼料の載置された飼料留置部との間で付着生物の行き来を容易にして摂餌機会を増大させて付着生物の成長を促進するとともに、前記飼料留置部とその周囲を囲む前記壁部との組以外の部分での清掃等に対し、清掃等の作業効率を向上することを可能とすることができる。
【００２４】
本発明の育成水槽は、前記飼料留置部には、排水穴が設けられることにより、より下側位置になる前記飼料留置部、あるいは、底部近傍に位置する前記飼料留置部に排水穴が設けられることにより、水槽の清掃を効率的におこなうことが可能となる。
【００２５】
本発明の育成装置は、上記のいずれか記載の育成水槽と、該水槽に給水する給水手段と、前記水槽から排水する排水手段と、を有することにより、付着生物の成長を促進でき、付着生物の育成における作業性及び餌の固着性の向上を図ることのできる育成装置を提供することが可能となる。
【発明の効果】
【００２６】
本発明によれば、付着珪藻を用いることなしに配合飼料だけでの飼育を可能とするとともに、稚ナマコ等の付着生物の生態に適合した人工飼料の投餌方法において、作業性及び餌の固着性を飛躍的に高めた稚ナマコ等の付着生物育成可能な育成水槽、育成装置を提供することができるという効果を奏することが可能となる。
【図面の簡単な説明】
【００２７】
【図１】本発明に係る育成装置の第１実施形態を示す斜視図である。
【図２】本発明に係る育成装置の第１実施形態における育成水槽を示す斜視図である。
【図３】本発明に係る育成装置の第１実施形態における育成水槽を示す平面図である。
【図４】本発明に係る育成装置の第１実施形態における育成水槽を示す正面図である。
【図５】本発明に係る育成装置の第１実施形態における育成水槽を示す側面図である。
【図６】本発明に係る育成装置の第１実施形態における育成水槽における飼料留置部と壁部とを示す断面図である。
【図７】本発明に係る育成装置の第１実施形態における育成水槽における育成状態を示す模式図である。
【図８】従来の育成水槽における育成状態を示す模式図である。
【図９】本発明に係る育成装置の第２実施形態を示す斜視図である。
【発明を実施するための形態】
【００２８】
以下、本発明に係る育成装置の第１実施形態を、図面に基づいて説明する。
図１は、本実施形態における育成装置を示す斜視図であり、図２は、本実施形態における育成水槽を示す斜視図であり、図３は、本実施形態における育成水槽を示す平面図であり、図４は、本実施形態における育成水槽を示す正面図であり、図５は、本実施形態における育成水槽を示す側面図であり、図において、符号１０は、育成装置である。
【００２９】
本実施形態に係る育成装置１は、付着生物、特に、体重１０ｍｇ〜５ｇ程度の稚ナマコを人工飼料によって育成可能とするものとされ、図１に示すように、外箱部２と、外箱部２に載置される複数の育成水槽１０と、育成水槽１０に海水を給水して注水する給水手段３と、外箱部２から排水する排水手段４と、を有する。
【００３０】
本実施形態の育成装置１における飼育対象はナマコ類であり、ナマコ類で日本国内での水産業上、最も重要で種苗生産の対象となる種は、マナマコ（Apostichopus japonicus）である。また、アジアや中南米では、クロナマコ科やシカクナマコ科に属する熱帯や亜熱帯種が主要な漁獲対象となり、これらも飼育対象とすることができる。
【００３１】
外箱部２は、図１に示すように、略矩形の平面形状を有して上側が開口されており、その内部に複数の育成水槽１０を平面的に載置可能な容量・床面積を有している。また、複数の育成水槽１０における水位を制御可能なように、その側壁部２ａの高さ寸法を設定される。また、複数の育成水槽１０の水位が所定の水深となるように、側壁部２ａに排水口２ｂが設けられている。排水口２ｂは、複数の育成水槽１０からの排水をまとめて排水可能とされている。
【００３２】
給水手段３は、図１に示すように、海水を注水する複数の給水管３ａが設けられ、各育成水槽１０にそれぞれ個別に海水を注水可能とされている。また、給水手段３は、育成水槽１０に供給する海水の流量・温度・水質等を稚ナマコの育成用として調整可能なように構成されている。給水手段３の給水端部３ａは、それぞれの育成水槽１０上側位置に設けられて、個々の育成水槽１０にそれぞれ調整された海水を別々に給水可能となっている。
【００３３】
排水手段４は、図１に示すように、外箱部２内部の育成水を排水口２ｂから排水するものとされ、排水された育成水を外部に排出するか、給水手段３へと循環再生することができる。排水された育成水を給水手段３へと循環再生する場合には、排水手段４は、排水のろ過・浄化等の水質調整をおこなうこともできる。
【００３４】
本実施形態に係る育成水槽１０は、図２〜図５に示すように、略矩形の平面形状とされた底部１１を有し、Ｘ方向に対向している一対の側壁１２，１２が上方向（Ｚ方向）に向けてやや拡径するとともに、他方のＹ方向に対向する一対の側壁１３，１３が上方向（Ｚ方向）に向けてやや拡径するよう構成されている。
外箱部２および育成水槽１０は、軽量かつ強固であって耐水性に優れた材質、例えばポリカーボネート、ポリスチレン、ポリ塩化ビニル、ポリエチレン、ボリプロピレン等により形成されることができる。
【００３５】
これら側壁１２，１２および／または側壁１３，１３は、いずれも、鉛直方向に延在するように構成することもできる。側壁１２，１２は、Ｙ方向に延在して育成水槽１０の長辺とされており、側壁１３，１３は、Ｘ方向に延在して育成水槽１０の短辺とされている。
【００３６】
底部１１の四隅には、所定の径寸法の排水口１１ａが設けられ、この排水口１１ａには、稚ナマコが流出しないように、所定の目合いとされた網部が設けられている。網部としては、ポリエチレン製のネットなどが用いられる。
育成水槽１０にはその内部に、一方の側壁１２から底部１１を介して他方の側壁１２まで、これらの面に沿って波板１５が設けられている。なお、図３，図５においては、山線１５ａのみを図示している。
【００３７】
波板１５は、所定の振幅を持って横断面で蛇行形状を呈するものとされ、波板１５の突条における山線１５ａと凹条となる谷線１５ｂとが、育成水槽１０の長辺方向であるＹ方向に延在するように配置されている。山線１５ａは、育成水槽１０の上向き中心側に位置するとともに、谷線１５ｂは、側壁１２または底部１１に対向するように位置することになる。
【００３８】
波板１５において、平面視した山線１５ａの間隔または谷線１５ｂの間隔、および、隣接する山線１５ａと谷線１５ｂとの波板１５厚み方向における距離（振幅）は、後述する飼料留置部１５ｍおよび壁部１５ｎとしての機能に即して設定されることが好ましい。
具体的には、平面視した山線１５ａの間隔または谷線１５ｂの間隔が、育成対象となる稚ナマコの体長に対して、０．２５倍から５倍程度とされることが好ましく、さらに、稚ナマコの体長に対して、０．５倍から２倍程度とされることがより好ましい。また、隣接する山線１５ａと谷線１５ｂとの波板１５厚み方向における距離（振幅）は、育成対象となる稚ナマコの体長に対して、０．１倍から同等程度とされることが好ましく、より好ましくは、稚ナマコの体長に対して、０．２倍から０．５倍程度とされることができる。
【００３９】
波板１５は、一方の側壁１２から底部１１を介して他方の側壁１２までの面に沿ってＵ字状となるように配置されて、谷線１５ｂ側が側壁１２または底部１１に接触するように設けられることもできる。波板１５の湾曲は、その湾曲状態を深さ比（設置する水槽の深さ）／（設置する水槽の短辺）で表した場合、この深さ比の値が０．5から２程度の範囲に設定されることが好ましく、より好ましくは、０．８から１．２程度の範囲に設置されることができる。
【００４０】
さらに、上記の深さ比（設置する水槽の深さ）／（設置する水槽の短辺）が上述の範囲とされた状態で、平面状に伸ばした波板１５のＵ字状となる湾曲辺の長さが、湾曲比（波板１５の湾曲辺長さ）／（設置する水槽の短辺）の値が１．５〜５の範囲に設置されることができ、より好ましくは、２．０から４程度の範囲に設置されることができる。
また、波板１５は、側壁１２と底部１１との境界付近ではこれら側壁１２または底部１１に接触しないようになっている。
【００４１】
波板１５においては、横断面が蛇行形状とされているために、図２，図６に示すように、水平面に沿って延在する帯状の領域１５ｍと、鉛直面に沿って延在する帯状の領域１５ｎとが交互に配置されることになる。これらの領域１５ｍと領域１５ｎとは、いずれもＹ方向に延在するとともに、Ｕ字状となるように湾曲された波板１５の位置によって山線１５ａおよび谷線１５ｂから多少ずれた境界によって互いに隣接するように配置されている。
【００４２】
帯状の領域１５ｍと領域１５ｎとは、Ｙ方向に延在する１本ずつが一組とされて、これらの組が、波板１５の湾曲した主面にそって複数組配置されることになる。
帯状の領域１５ｍと領域１５ｎとは、これらの境界がなだらかに湾曲した状態で接続されている。
【００４３】
波板１５の最深底部位置となる領域１５ｍには、所定の径寸法の排水穴１５ｆを所定間隔に複数個、例えば２列として設け波板１５の表側（上側）から裏側（下側）への排水孔とする。
排水穴１５ｆの径寸法および配置間隔は、育成水槽１０における水の循環が不良にならず、ナマコの生育に悪影響が及ばない状態を維持することが可能なように設定される。
【００４４】
波板１５は、育成水槽１０と同様、軽量かつ強固であって耐水性に優れた材質、例えばポリカーボネート、ポリスチレン、ポリ塩化ビニル、ポリエチレン、ボリプロピレン等により形成されることができる。
【００４５】
本実施形態における育成水槽１０においては、図２，図６に示すように、水平面に沿って延在する帯状の領域１５ｍが投餌した人工飼料Ｂが溜まりやすい飼料留置部とされ、鉛直面に沿って延在する帯状の領域１５ｎが付着生物（稚ナマコ）Ｃの好む壁部とされており、これら帯状の飼料留置部１５ｍと壁部１５ｎとが交互に配置される組が、一方の側壁１２から底部１１を介して他方の側壁１２までの面に沿ってＵ字状となるように多数配置されることになる。
【００４６】
ここで、ナマコは水槽の壁にはりついてしまうため、育成水槽１０の長辺において、波板１５が側壁１２の上端位置、または育成水槽１０における水位よりも上側に位置するようにもうけることが好ましい。
【００４７】
波板１５の短辺側端部となる波板１５と育成水槽１５の短辺となる側壁１３，１３との合わせ面には、稚ナマコの流出を防ぐために隙間を塞ぐ閉塞材１３ａが波板１５の全端側を覆うように設けられている。閉塞材１３ａは、発泡スチレンシートで構成することができる。
【００４８】
本実施形態における育成水槽１０においては、図２，図６に示すように、投餌した人工飼料が溜まりやすい飼料留置部１５ｍと、付着生物（稚ナマコ）が好む壁部１５ｎと、が隣接して配置されるとともに、これら飼料留置部１５ｍと壁部１５ｎとが連続的に多数組設けられた構造を有してなる。これにより、本実施形態における育成水槽１０においては、水平に近い面を有する飼料留置部１５ｍ付近において、育成水槽１０の上方から給餌した餌（人工飼料）Ｂの固着度合いを向上することができる。
【００４９】
同時に、本実施形態における育成水槽１０においては、図２，図６に示すように、この人工飼料Ｂの載置された飼料留置部１５ｍと稚ナマコＣの好む壁部１５ｎとの距離を短縮して摂餌機会を増大させ、稚ナマコＣの成長を促進するとともに、飼料留置部１５ｍに対する飼料Ｂの供給を簡便におこなうことができるため、ナマコＣの育成における作業性及び餌の固着性を向上することが可能となる。
【００５０】
本実施形態における育成水槽１０においては、飼料留置部１５ｍの水平方向幅寸法は、育成対象となる稚ナマコの体長に対して、０．２５倍から５倍程度とされることが好ましく、さらに、稚ナマコの体長に対して、０．５倍から２倍程度とされることがより好ましい。また、壁部１５ｎの鉛直方向幅寸法は、育成対象となる稚ナマコの体長に対して、０．１倍等から同等程度とされることが好ましく、より好ましくは、稚ナマコの体長に対して、０．２倍から０．５倍程度とされることができる。
【００５１】
また、飼料留置部１５ｍの水平方向幅寸法と、壁部１５ｎの鉛直方向幅寸法との比が、１．５〜２．５となって、壁部１５ｎよりも飼料留置部１５ｍの幅寸法が大きいことが好ましい。
【００５２】
本実施形態における育成水槽１０においては、図７に示すように、壁部１５ｎと飼料留置部１５ｍとの境界を多数設けることによって、投餌した人工飼料Ｂが溜まりやすい飼料留置部１５ｍと稚ナマコＣが好む壁部１５ｎとが短い距離で連続的に繰り返される構造となって、稚ナマコＣによる付着基質のない人工飼料Ｂの摂餌機会が増えるができるのに対し、従来の水槽では、図８に示すように、飼料が水槽底部のみにたまってしまい、稚ナマコＣと人工飼料Ｂとの距離が大きくなり、摂餌機会を増加することができない。
【００５３】
さらに、飼料留置部１５ｍと壁部１５ｎとの境界は、図６に示すように、滑らかに褶曲して連続的に飼料留置部１５ｍと壁部１５ｎとが配置されているため、稚ナマコＣの生育環境である自然界における状態に近づけ、稚ナマコＣが壁部１５ｎから飼料留置部１５ｍに移動しやすくして、摂餌機会を増大させ、さらに、稚ナマコＣの成長を促進することができる。
【００５４】
本実施形態における育成水槽１０においては、図２，図６に示すように、滑らかに褶曲して連続的に飼料留置部１５ｍと壁部１５ｎとが配置された構成としたが、図７に示すように、水平面とされる飼料留置部１５ｍと、垂直面とされる壁部１５ｎと、からなる組を多数繰り返して水槽側壁１３に設けることもできる。このように多数の段部１５ｍを設けた構造の場合、飼料留置部１５ｍにおける給餌した餌（人工飼料）Ｂの固着度合いをさらに向上することができるとともに、稚ナマコＣの育成空間となる育成水槽１０内部の容積を大きくすることができる。
【００５５】
この場合、水平面とされる飼料留置部１５ｍと、垂直面とされる壁部１５ｎと、からなる組において、飼料留置部（段部）１５ｍに対して、その上側に位置する壁部１５ｎを稚ナマコＣの摂餌場所として設定することができ、それぞれの稚ナマコＣに対する摂餌を制御することが可能となる。
【００５６】
以下、本発明に係る育成水槽の第２実施形態を、図面に基づいて説明する。
図９は、本実施形態における育成水槽２０を示す斜視図である。
本実施形態において上述した第１実施形態と異なるのは育成水槽２０の平面形状および、飼料留置部２５ｍと壁部２５ｎとの配置に関する点であり、これ以外の対応する構成要素に関しては、同一の符号を付してその説明を省略する。
【００５７】
本実施形態においては、図９に示すように、育成水槽２０が平面視して略円形の形状とされ、円環状の水平面とされた飼料留置部２５ｍと、円環状の垂直面面とされた壁部２５ｎとが、複数の段部を形成するように交互に設けられる。
飼料留置部２５ｍと壁部２５ｎとは、飼料留置部１５ｍと壁部１５ｎとに対応して、その幅寸法および高さ寸法を設定することができる。
最深底部位置となる底部２１には、所定の径寸法の排水穴１５ｆが所定数設けられている。
【００５８】
本実施形態においては、上記の実施形態と同等の作用効果を奏することができるとともに、さらに、飼育面積を拡大し、収容個体数を増やすことが可能になり効率的な飼育が可能になるという効果を奏することができる。
なお、図示しないが、育成水槽２０の外側表面には、内側で形成された段部がないように滑らかな曲面とすることもできる。また、飼料留置部２５ｍと壁部２５ｎとの境界において、滑らかに褶曲する構成とすることもできる。
【実施例】
【００５９】
以下、本発明にかかる実施例を説明する。これらの実施例は本発明を制限するものではない。
【００６０】
＜実験例１，２＞
図１〜図６に示した第１実施形態と同様に、育成水槽１０内部を階段状として飼料留置部１５ｍと壁部１５ｎとを形成した。
【００６１】
育成水槽１０として、図２〜図６に示すように、７Ｌ角型樹脂製水槽（２６ｃｍ×１６ｃｍ×深さ１７ｃｍ）の底面の四隅に直径２５ｍｍの排水口１１ａを設ける。設けた排水口１１ａから稚ナマコＣが流出しないように、目合い１ｍｍのポリエチレンネットを接着し固定する。この育成水槽１０の短辺方向から見て、Ｕ字状に樹脂製の波板１５を設置する。その際、波板１５の波方向（山線１５ａと谷線１５ｂにより形成）が育成水槽１０の長辺となる側壁１２，１２方向と平行になるように設置する。
【００６２】
波板１５と育成水槽１０の短辺の側壁１３，１３との合わせ面には、幅約２０ｍｍの発泡スチレンシートで隙間を塞ぐ閉塞材１３ａを設け、稚ナマコＣの流出を防ぐ。Ｕ字型に設置した波板１５の一番底になる部分に直径１．５ｍｍの穴を５ｍｍ間隔に３０個ずつ２列に計６０個の排水穴１５ｆを設ける。
【００６３】
樹脂製波板１５をＵ字型に設置した育成水槽１０を、図１に示すように、ポリエチレン製大型トロ箱（８３×１２５×深さ２０ｃｍ）からなる外箱部２内に設置する。外箱部２のサイズに合わせて、複数の育成水槽１０を並列設置する。各育成水槽１０に上面より注水された海水は、各育成水槽１０の底面１１に開けた排水口１１ａより外箱部２内に排水される。各育成水槽１０の水位が水深１２ｃｍ（容量５Ｌ）になるように、外箱部２に排水口２ｂを設ける。外箱部２の排水口２ｂからは、複数の育成水槽１０からの排水が、まとめて排水される。
【００６４】
各育成水槽１０に稚ナマコ（湿重量：０．０７〜０．４８ｇ、体長：１７〜３０ｍｍ）を１０個体収容した。
市販の付着珪藻粉末（ダイアパウダー、マリンテック株式会社）と等量の貝殻粉末を乳鉢で微粉末化した後、混合して投餌した。投餌量は稚ナマコの総湿重量の１０％とした。投餌した餌料の流出を防ぐために、投餌後２０〜３０分間は注水を止めた。海水の注水量は、０．５Ｌ／分とした。毎日夕方一回、水槽掃除の後に投餌した。水槽掃除は、毎日夕方に直径５  ｍｍのシリコンチューブでサイフォンにより糞や残餌を吸引して行った。
【００６５】
＜実験例３，４＞
上記試験の比較対照区として、図８に示すように、樹脂製波板を入れないという条件以外は、上記飼育方法と同じ条件で飼育を行った。
【００６６】
水槽を上から朝９時から１７までの間、２時間ごとに定時撮影し、水槽による稚ナマコの行動を観察し、まとめたところ、図８に示す従来水槽中での稚ナマコは、水槽の壁に付着しており、当時した餌が存在する水槽の底にはほとんど存在しなかったのに対し、図２〜図６に示す樹脂製波板を設置した水槽では、半分以上の稚ナマコ個体が、餌のある波板上に存在していることがわかった。試験期間中に測定した１０個体の平均体重を表１および表２に示した。
なお、表１に示した値をもとに増重率を算出し、表２に示した。計算式は、増重率（％）＝（測定時の平均体重）／（試験開始時の平均体重）＊１００
【００６７】
【表１】
2018000150.tif 000003
【表２】
2018000150.tif 000004
【００６８】
表２に示したとおり、本発明である樹脂製波板を設置した区が、樹脂製波板を設置していない区に比べ、明らかに大きな増重率を示している。これにより、作業性及び餌の固着性を飛躍的に高めて稚ナマコ等の付着生物の育成促進が可能であることがわかる。また、５７日間の飼育試験期間中に死亡した個体はなかったことから、本方法は稚ナマコの育成において種苗生産産業上有用な効果をもたらすことが明らかとなった。
【産業上の利用可能性】
【００６９】
本発明の活用例として、種苗生産産業上、ナマコ以外のアワビ、ウニなどの他の水産養殖業で重要な付着生物の育成にも有効である。
【符号の説明】
【００７０】
１…育成装置
２…外箱部
３…給水手段
４…排水手段
１０…育成水槽
１１…底部
１１ａ…排水口
１２，１３…側壁
１５…波板
１５ａ…山線
１５ｂ…谷線
１５ｆ…排水穴
１５ｍ…飼料留置部（段部）
１５ｎ…壁部
Ｂ…飼料（餌）
Ｃ…稚ナマコ（付着生物）
２０…育成水槽
２１…底部
２５ｍ…飼料留置部（底部、頂部）
２５ｎ…壁部
【図１】
2018000150.tif 000005
【図２】
2018000150.tif 000006
【図３】
2018000150.tif 000007
【図４】
2018000150.tif 000008
【図５】
2018000150.tif 000009
【図６】
2018000150.tif 000010
【図７】
2018000150.tif 000011
【図８】
2018000150.tif 000012
【図９】
2018000150.tif 000013